(57)【要約】【課題】より簡便に効率よく硫化水素を除去することが可能な硫化水素除去方法及びこれに用いる硫化水素除去装置を提供する。【解決手段】貯留槽１と、この貯留槽１に貯留した水Ｗに曝気を施すための曝気手段２と、脱硫装置３とを備える硫化水素除去装置Ａを用い、硫化水素を含む水Ｗを貯留槽１に貯留し、曝気手段２で貯留した水Ｗに曝気を施してこの水Ｗに含まれた硫化水素を気相Ｈに放散させるとともに、硫化水素を含んだ気相Ｈを脱硫装置３に送り、この脱硫装置３で気相Ｈから硫化水素を除去してこれを捕集する。【選択図】図１
2008307475.tif 000002
【特許請求の範囲】
【請求項１】
硫化水素を含んだ水から前記硫化水素を除去する硫化水素除去方法であって、
前記水に曝気を施して、該水に含まれた前記硫化水素を気相に放散させ、該硫化水素を含む気相を脱硫装置に送り、該脱硫装置によって前記気相から前記硫化水素を除去することを特徴とする硫化水素除去方法。
【請求項２】
硫化水素を含んだ水から前記硫化水素を除去するための硫化水素除去装置であって、
前記硫化水素を含んだ水を一時的に貯留する貯留槽と、該貯留槽内の前記水に曝気を施すための曝気手段と、曝気によって前記水から放散した前記硫化水素を含む気相から前記硫化水素を除去する脱硫装置とを備えたことを特徴とする硫化水素除去装置。
【発明の詳細な説明】
【技術分野】
【０００１】
本発明は、例えば硫化水素が溶存した地下水などから硫化水素を除去する硫化水素除去方法及びこれに用いる硫化水素除去装置に関する。
【背景技術】
【０００２】
従来、例えば地下工事などに伴い地上に汲み上げた地下水に硫化水素が含まれ、この地上に汲み上げた地下水から硫化水素が大気中に拡散して、周辺に悪臭を発生させる場合があった。このため、硫化水素を含んだ地下水を扱う場合には、地下水から硫化水素が大気中に拡散することを防止する対策や、地下水から硫化水素を除去する対策を講じる必要があった。
【０００３】
そして、特許文献１には、例えば製紙工場の排水、し尿処理場の排水、製鉄の安水、食品工場の排水など、硫化水素、メチールメルカプタン、アンモニア、アミン類などの悪臭物質を含む排液に、３価の鉄を主成分とする鉄系の凝集剤と酸化剤を添加し、凝集処理と同時に悪臭物質を化学反応および分解で除去する方法が開示されている。
【特許文献１】特開２００２−３０１４４２号公報
【発明の開示】
【発明が解決しようとする課題】
【０００４】
しかしながら、特許文献１に開示された悪臭物質の除去方法（硫化水素除去方法）においては、硫化水素を含む排液（水）に鉄系の凝集剤と酸化剤を添加して凝集した硫化水素を含む沈殿物（あるいは浮遊物）を、処理後の水と分離したり、分離後の硫化水素を含む沈殿物の処理を要するという問題があった。このため、地下水や排水などの水から硫化水素を簡便に効率よく除去することができ、除去した硫化水素を大気中に拡散しないように捕集可能な手法が強く望まれていた。
【０００５】
本発明は、上記事情に鑑み、簡便に効率よく水から硫化水素を除去し、除去した硫化水素を大気中に拡散しないように捕集することが可能な硫化水素除去方法及びこれに用いる硫化水素除去装置を提供することを目的とする。
【課題を解決するための手段】
【０００６】
上記の目的を達するために、この発明は以下の手段を提供している。
【０００７】
本発明の硫化水素除去方法は、硫化水素を含んだ水から前記硫化水素を除去する硫化水素除去方法であって、前記水に曝気を施して、該水に含まれた前記硫化水素を気相に放散させ、該硫化水素を含む気相を脱硫装置に送り、該脱硫装置によって前記気相から前記硫化水素を除去することを特徴とする。
【０００８】
また、本発明の硫化水素除去装置は、硫化水素を含んだ水から前記硫化水素を除去するための硫化水素除去装置であって、前記硫化水素を含んだ水を一時的に貯留する貯留槽と、該貯留槽内の前記水に曝気を施すための曝気手段と、曝気によって前記水から放散した前記硫化水素を含む気相から前記硫化水素を除去する脱硫装置とを備えたことを特徴とする。
【０００９】
そして、本発明の硫化水素除去方法及び硫化水素除去装置においては、硫化水素を含んだ地下水や排水などの水を曝気し、硫化水素を気相に放散させ、硫化水素を含んだ気相を脱硫装置に送るとともにこの脱硫装置で硫化水素を除去するという簡便な操作で、水から硫化水素を除去するとともに、除去した硫化水素を捕集することができる。
【発明の効果】
【００１０】
本発明の硫化水素除去方法及び硫化水素除去装置によれば、簡便に効率よく硫化水素を水から除去することができ、除去した硫化水素を大気中に拡散しないように捕集することができるため、例えば地下工事などに伴い地上に汲み上げた地下水に硫化水素が含まれる場合においても、周辺に悪臭が発生することを確実に防止できる。
【発明を実施するための最良の形態】
【００１１】
以下、図１を参照し、本発明の一実施形態に係る硫化水素除去方法及び硫化水素除去装置について説明する。本実施形態は、地下工事などに伴い地上に汲み上げた硫化水素を含む地下水から硫化水素を除去し、除去した硫化水素を大気中に拡散しないように捕集する硫化水素除去方法及びこれに用いる硫化水素除去装置に関するものである。
【００１２】
本実施形態の硫化水素除去装置Ａは、図１に示すように、揚水井戸から地上に汲み上げられた硫化水素を含む地下水（水）Ｗを一時的に貯留する貯留槽１と、貯留槽１に貯留した地下水Ｗに曝気を施すための曝気手段２と、貯留槽１内の気相Ｈが送気され、この気相Ｈから硫化水素を除去して捕集するための脱硫装置３とを備えて構成されている。なお、本実施形態においては、貯留槽１に配管を介してノッチタンク４が繋げられている。
【００１３】
曝気手段２は、貯留槽１を貫通し、貯留槽１の外側から内部に延設された配管と、配管の先端に取り付けられて貯留槽１の底部１ａ側に配された散気部２ａと、配管の後端が繋がり、この配管及び散気部２ａを通じて貯留槽１内の地下水Ｗに空気Ｍを供給する図示せぬ送気手段とを備えて構成されている。なお、本実施形態において、送気手段には、例えばポンプやコンプレッサーなどが適用される。
【００１４】
一方、脱硫装置３は、例えば、酸化鉄系の脱硫剤や活性炭などの吸着剤を充填した脱硫塔であり、貯留槽１を貫通し、貯留槽１の外側から内部に延設された配管の後端が繋げられて設けられている。また、この脱硫装置３に繋がる配管は、その先端を貯留槽１内の上部１ｂ側に配して設けられている。
【００１５】
ついで、上記の硫化水素除去装置Ａを用いて、地上に汲み上げた地下水Ｗから硫化水素を除去する方法について説明し、本実施形態の硫化水素除去装置Ａ及び硫化水素除去方法の作用及び効果について説明する。
【００１６】
はじめに、揚水井戸から地上に地下水Ｗを汲み上げるとともに、この汲み上げた地下水Ｗを貯留槽１に貯留する。このとき、貯留槽１には、その上部１ｂに気相Ｈが残るように所定量の地下水Ｗが供給される。
【００１７】
ついで、曝気手段２の送気手段を駆動し、空気Ｍを配管から散気部２ａに向けて流通させ、散気部２ａを通じて貯留槽１内の地下水Ｗに散気する。これにより、貯留槽１に貯留した地下水Ｗは曝気され、これとともに地下水Ｗに含まれた硫化水素が地下水Ｗから貯留槽１内の気相Ｈに放散される。このように放散した硫化水素を含む気相Ｈは、曝気手段２から空気Ｍを供給し続けることによって、配管を通じて脱硫装置３に送気される。
【００１８】
そして、この脱硫装置３を通過するとともに、気相Ｈ中の硫化水素が酸化鉄系の脱硫剤や活性炭などの吸着剤によって除去され、且つ捕集されて、硫化水素を除去した浄化空気Ｈ’が大気中に放出される。
【００１９】
また、貯留槽１内の地下水Ｗは、曝気手段２による継続的な曝気によって硫化水素が完全にあるいは許容濃度を下回るように除去される。そして、このように貯留槽１内で処理した後の浄化地下水Ｗ’は、ノッチタンク４に送られて土などの懸濁物が沈殿処理され、その上澄み水Ｗ’のみが外部に放流される。
【００２０】
このような操作を継続的に行うことで、揚水井戸から順次汲み上げられた地下水Ｗから硫化水素が除去され、さらに、除去した硫化水素が脱硫装置３によって大気中に拡散しないように捕集されてゆく。
【００２１】
したがって、本実施形態の硫化水素除去方法及び硫化水素除去装置Ａにおいては、地下水Ｗに曝気を施し、曝気とともに硫化水素が放散した気相Ｈを脱硫装置３に送ってこれを通過させることで、簡便に効率よく、地下水Ｗ及び気相Ｈから硫化水素を除去し、脱硫装置３で、除去した硫化水素を大気中に拡散しないように捕集することが可能になる。よって、地下工事などに伴い地上に汲み上げた地下水Ｗに硫化水素が含まれる場合においても、周辺に悪臭が発生することを確実に防止できる。
【００２２】
以上、本発明に係る硫化水素除去方法及び硫化水素除去装置の一実施形態について説明したが、本発明は上記の一実施形態に限定されるものではなく、その趣旨を逸脱しない範囲で適宜変更可能である。例えば、本実施形態では、地下工事に伴い地上に汲み上げた地下水Ｗから硫化水素を除去するものとしたが、本発明の硫化水素除去方法及び硫化水素除去装置Ａは、硫化水素を含んだ地下水Ｗの処理に適用することに限定する必要はない。
【００２３】
また、本実施形態では、硫化水素除去装置Ａが、貯留槽１と曝気手段２と脱硫装置３とを備えて構成され、脱硫装置３が、酸化鉄系の脱硫剤あるいは活性炭などの吸着剤を充填した脱硫塔であるものとしたが、硫化水素を含む気相Ｈから硫化水素を除去して捕集することが可能であれば、特に脱硫装置３の構成を限定する必要はない。さらに、曝気手段２においても、硫化水素を含んだ水に曝気を施して硫化水素を気相Ｈに放散させることができれば、特にその構成を限定する必要はない。
【図面の簡単な説明】
【００２４】
【図１】本発明の一実施形態に係る硫化水素除去装置を示す図である。
【符号の説明】
【００２５】
１    貯留槽
１ａ  底部
１ｂ  上部
２    曝気手段
２ａ  散気部
３    脱硫装置
４    ノッチタンク
Ａ    硫化水素除去装置
Ｈ    気相
Ｍ    空気
Ｗ    地下水（水）
【図１】
2008307475.tif 000003